(57)【要約】      （修正有）【課題】写真や絵を用いた時系列のアルバムであって、写真等に関する音声データを再生するものについて、より時間の流れを認識しやすくする。【解決手段】中空棒状の芯１０と、この芯に巻かれる複数の写真２１ａ及び／又は絵が表示された長尺のシート２０とにより巻物状に形成されるアルバムＸにおいて、前記シート表面の少なくとも２以上の前記写真及び／又は絵のそれぞれの近傍に設けられるシート表面の一部が表出されたことを検知するセンサー２３と、前記芯内に設けられる、前記各センサーの出力を受けて音声を出力する手段３０であって、少なくとも２以上のセンサーの出力ごとに異なる音声を出力する音声発生手段とを設ける。【選択図】  図１
2008162172.tif 000002
【特許請求の範囲】
【請求項１】
中空棒状の芯と、この芯に巻かれる複数の写真及び／又は絵が表示された長尺のシートとにより巻物状に形成されるアルバムであって、
前記シート表面の少なくとも２以上の前記写真及び／又は絵のそれぞれの近傍に設けられるシート表面の一部が表出されたことを検知するセンサーと、
前記芯内に設けられる、前記各センサーの出力を受けて音声を出力する手段であって、少なくとも２以上のセンサーの出力ごとに異なる音声を出力する音声発生手段と、
を有するアルバム。
【請求項２】
表紙及び／又は背表紙と複数の写真及び／又は絵が表示された長尺のシートとにより折り本状に形成されるアルバムであって、
前記シート表面の少なくとも２以上の前記写真及び／又は絵のそれぞれの近傍に設けられるシート表面の一部が表出されたことを検知するセンサーと、
前記表紙又は背表紙内に設けられる、前記各センサーの出力を受けて音声を出力する手段であって、少なくとも２以上のセンサーの出力ごとに異なる音声を出力する音声発生手段と、
を有するアルバム。
【請求項３】
前記センサーは、光センサーである請求項１又は２に記載のアルバム。
【請求項４】
前記シートの長手方向に年代を示す文字が表記されるものである請求項１から３のいずれか１項に記載のアルバム。
【発明の詳細な説明】
【技術分野】
【０００１】
本発明はアルバムに関し、特に、音声を発生するアルバムに関する。
【背景技術】
【０００２】
アルバムは、通常はバインダー形式になっており、これに写真などを貼り付けて観賞するものである。このアルバムに関して写真に関連した音声データを出力することが例えば下記特許文献１に提案されている。これらは、表紙などに音声再生回路が組み込まれるとともに、アルバム台紙にスイッチが設けられ、この台紙のスイッチ入力を受けて、台紙に貼り付けられた写真に関連する音声が再生されるものである。
【特許文献１】実用新案登録第３０８４２７７号公報
【発明の開示】
【発明が解決しようとする課題】
【０００３】
ところで、近年自分史として自己の過去の映像を音声による解説をつけて映像記録としてビデオテープやDVDに記録することが行われている。しかし、自分史が作成されるの老人に対してであり、老人の中にはビデオテープやDVDの再生装置の操作になじまない者も多い。
そこで、上述したような、アルバムを用いて時間の流れに沿って過去の写真などを貼り、これに音声データによる解説をつけることでわずらわしい再生装置を使用する必要がなくなり、老人にも親しみやすい音声解説付きの自分史を作成できると考えられる。しかし、上述のような本型の場合は、ページを捲ることで、前の写真は隠れてしまい時間の流れを感じにくく、また、一ページ内に多くの写真を貼ると写真間での時系列の流れがわかりにくいという問題がある。
そこで、本発明は、写真や絵を用いた時系列のアルバムであって、写真等に関する音声データを再生するものについて、より時間の流れを認識しやすくすることを課題とする。
【課題を解決するための手段】
【０００４】
上記課題を解決するために、本発明は次のような構成を有する。
請求項1に記載の発明は、中空棒状の芯と、この芯に巻かれる複数の写真及び／又は絵が表示された長尺のシートとにより巻物状に形成されるアルバムであり、前記シート表面の少なくとも２以上の前記写真及び／又は絵のそれぞれの近傍に設けられるシート表面の一部が表出されたことを検知するセンサーと、前記芯内に設けられる、前記各センサーの出力を受けて音声を出力する手段であって、少なくとも２以上のセンサーの出力ごとに異なる音声を出力する音声発生手段とを有するものである。なお、写真又は絵の表示は、貼り付ける他、印刷によって表示されるものが含まれる。また、センサーとしては、圧力センサーや光センサーが例示される。
請求項２に記載の発明は、表紙及び／又は背表紙と複数の写真及び／又は絵が表示された長尺のシートとにより折り本状に形成されるアルバムであり、前記シート表面の少なくとも２以上の前記写真及び／又は絵のそれぞれの近傍に設けられるシート表面の一部が表出されたことを検知するセンサーと、前記表紙又は背表紙内に設けられる、前記各センサーの出力を受けて音声を出力する手段であって、少なくとも２以上のセンサーの出力ごとに異なる音声を出力する音声発生手段とを有するアルバムである。
請求項３に記載の発明は、前記アルバムにおいて、前記センサーを光センサーとしたものである。
請求項４に記載の発明は、前記アルバムにおいて、前記シートの長手方向に年代を示す文字が表記されるものである。
【発明の効果】
【０００５】
請求項１に記載の発明は、アルバムを巻物状とすることで長手方向に沿って写真を時系列に表示でき、センサーも時系列に配されることで音声も時系列に対応して発せられるので時間の流れを認識しやすくできる。そして、センサーを長手方向の任意の位置に設けることができるので、柔軟に音声の発生位置を変えることができる。さらに、巻物状とすることで、配線を折る必要がなくなり本型に比較して構造を簡易にすることができる。
請求項２に記載の発明は、アルバムを折り本状とすることで、やはり、長手方向に沿って写真を時系列に表示でき、センサーも時系列に配されることで音声も時系列に対応して発せられるので時間の流れを認識しやすくできるとともに、全てを広げずに途中の写真を容易に見ることができる。
請求項３に記載の発明は、センサーを光センサーとすることで、圧力センサーと比較して誤動作を少なくすることができる。
請求項４に記載の発明は、シートの長手方向に年代を示す文字が表記されることで、年代と写真等を対応させることで、本状のアルバムよりもさらに時間の流れを認識しやすくすることができる。
【発明を実施するための最良の形態】
【０００６】
以下、本発明の実施の形態について説明する。
図１に本実施形態に係るアルバムＸの斜視図を示す。アルバムＸは、芯１０に長尺のシート２０を巻いて巻物状に形成したものである。芯１０はパイプ体であって内部には音声再生装置３０が内蔵されている。芯１０の下端の開口はふさがれ、上端の開口には着脱可能に取り付けられる音声再生装置３０のスピーカー３２が設けられている。音声再生装置３０は、音声合成ＬＳＩ等により形成されるフラッシュメモリにデジタル録音された音声を再生する回路からなる。
シート２０は、洋紙からなる表地２１とやや厚手の和紙からなる裏地２２とから構成される。また、シート２０の先端にはシート２０先端を挟む扁平な断面Ｃ状の部材からなる軸先２５が設けられる。表地２１には、写真２１ａが複数時系列に沿って印刷表示されるとともに、写真２１ａに対するコメントを示す文字群２１ｂが写真近傍に印刷表示される。また、表地２１の下縁近傍には、年代を示す文字群２１ｃが一定間隔で表示される。そして、表地２１の上縁近傍に沿い、かつ、前記各写真２１ａの上方に、ＣｄＳ光導電セルからなる光センサー２３の感知面が表出するように配置される。
【０００７】
図２に、アルバムＸを広げた状態における各光センサー２３を通る線分による拡大断面図を示す。図に示すように、光センサー２３は裏地２２上に配されるとともに、表地２１に空けられた穴から感知部が表出している。光センサー２３の導線２３ａは箔状であって、表地２１と裏地２２との間に挟まれるように配される。また、図２に示すように、導線２３ａの基端は芯１０の側面に設けられる穴１０ａから音声再生装置３０に接続される。音声再生装置３０は、各光センサー２３の導電性の変化をデジタル信号に変換して入力し、これ受けて音声が一定時間再生されるようになっている。また、この音声は各光センサー２３ごとに異なるものであり、具体的には、各センサー２３の下方にある写真２１に対するコメントが音楽とともに音声として再生されるようになっている。
【０００８】
次に、以上のような構成を有するアルバムＸの使用動作について説明する。最初、アルバムＸは巻物として巻かれて紐等で固定されているので、紐等を外してアルバムＸを机や床の上に置いて、先端側から広げて行く。すると、写真２１ａ、文字群２１ｂ、２１ｃ、光センサー２３、が時系列の早いものから順次表出してくる。光センサー２３が表出すると、自動的に芯１０内の音声再生装置３０から当該光センサー２３に対応する音声が、スピーカー３２を介して流れる。以下、順次巻物を広げていくと、写真２１ａ、文字群２１ｂ、２１ｃ、光センサー２３が表出し、光センサー２３が表出する度に、対応する音声が流れる。このように、年代ごとに対応する写真、コメント、年号などが表れ、これに対応する音声が順次流れることで、時系列の流れに沿って、出来事を写真、文字、音声により認識することができる。
【０００９】
なお、上記実施形態ではアルバムとして、巻物形状のものを挙げたが、これは折り本状のものでもよい。図３に折り本状のアルバムＹの斜視図を例示する。アルバムＹは図に示すように実施形態１に係る長尺シート２０とほぼ同じ構造を持つ、長尺のシート６０を折り本状に折り、表示７０と裏表紙５０を設けたもので、裏表紙１０を中空の箱状に形成し、内部に音声再生装置８０が内蔵されている。このような構造によっても、年代ごとに対応する写真、コメント、年号などが表れ、これに対応する音声が順次流れることで、時系列の流れに沿って、出来事を写真、文字、音声により認識することができる。
また、上記実施形態では、センサーとして光センサー２３を用いているが、圧電素子など、圧力がかかっていることを検知するセンサーを用い、圧力がかからない状態を検知して音声を発生させるなどの方法を採ることもできる。
【図面の簡単な説明】
【００１０】
【図１】実施形態に係るアルバムを示す斜視図である。
【図２】実施形態に係るアルバムを広げた状態における各光センサーを通る線分で切った拡大断面図である。
【図３】実施形態に係る他のアルバムを示す斜視図である。
【符号の説明】
【００１１】
Ｘ、Ｙ  アルバム
１０  芯
２０、６０  シート
３０、８０  音声再生装置
２１ａ  写真
２１ｂ  文字群
２１ｃ  年代を示す文字群
２３  光センサー
【図１】
2008162172.tif 000003
【図２】
2008162172.tif 000004
【図３】
2008162172.tif 000005